(57)【要約】【課題】カーナビゲーション装置において、マップコード（登録商標）により目的地点検索する場合、そのマップコードの全桁を入力しなくとも済む。【解決手段】目的地点とする地点の電話番号とマップコードとを知っているとして、まず、通常使用している電話番号をカーナビゲーション装置に入力する。制御装置は、入力された電話番号がデータとして登録されていない場合、その電話番号の市外局番が示す地域を検索し、その地域を含むマップコード上の区域を検出し、その区域を示す３桁のコードを検出する。目的地点として設定したい地点のマップコードの４桁目以降を入力することによって当該地点のマップコードが入力されたとして地点検索を行う。【選択図】図２
2007226134.tif 000002
【特許請求の範囲】
【請求項１】
対象となる地図をカバーするように単位升目を縦横に配置したメッシュを定義し、前記各単位升目に一元に付された固有コードによって地図上の地点を特定するコード検索が可能な地点特定方法において、
前記対象となる地図中の市区町村名が入力されたとき、または前記対象となる地図を複数地域に分けて各地域に固有番号を付した地域番号制度における当該固有番号の少なくとも一部が入力されたとき、当該入力された市区町村名、または前記地域番号制度の前記固有番号の少なくとも一部によって特定される地域に含まれる前記単位升目について、その単位升目の前記固有コードのうちの上位複数桁のコードを入力済みコードとし、残りの下位複数桁のコードの入力を待って前記コード検索を開始することを特徴とする地点特定方法。
【請求項２】
電話番号によって対象となる地図上の地点を特定する電話番号検索と、前記対象となる地図をカバーするように単位升目を縦横に配置したメッシュを定義し前記各単位升目に一元に付された固有コードによって地図上の地点を特定するコード検索とが可能な地点特定方法において、
前記電話番号が入力されたとき、入力された電話番号について前記電話番号検索による地図上の地点の特定が不能なとき、前記入力された電話番号のうちの上位複数桁の番号で特定される地域に含まれる前記単位升目について、その単位升目の前記固有コードのうちの上位複数桁のコードを前記コード検索での入力済みコードとし、残りの下位複数桁のコードの入力を待って前記コード検索を開始することを特徴とする地点特定方法。
【請求項３】
対象となる地図をカバーするように単位升目を縦横に配置したメッシュを定義し前記各単位升目に一元に付された固有コードによって地図上の地点を特定するコード検索が可能な地点特定装置において、
前記対象となる地図中の市区町村名または前記対象となる地図を複数地域に分けて各地域に固有番号を付した地域番号制度における当該固有番号の少なくとも一部に対し、前記市区町村名または前記地域番号制度における前記固有番号の少なくとも一部によって特定される地域に含まれる前記単位升目の前記固有コードのうちの上位複数桁のコードを関連付けたデータベースを記憶する記憶手段と、
前記コード検索のための固有コードを入力可能であると共に、前記市区町村名または前記地域番号制度における前記固有番号を入力可能な入力手段と、
前記市区町村名または前記地域番号制度における前記固有番号の少なくとも一部が入力されたとき、前記データベースに基づいて、入力された市区町村名、または前記地域番号制度の前記固有番号の少なくとも一部によって特定される地域に含まれる前記単位升目の前記固有コードの上位複数桁のコードを検策する対応コード検索手段と、
前記対応コード検索手段によって検索された前記固有コードの上位複数桁のコードを入力済みコードとし、前記固有コードのうちの残りの下位複数桁のコードの入力があったとき、前記入力済みとされた前記固有コードの上位複数桁のコードと前記入力された残りの下位複数桁のコードとで構成される一連の固有コードによって特定される地図上の地点を検索する地点検索手段とを具備してなる地点特定装置。
【請求項４】
電話番号によって地図上の地点を特定する電話番号検索と、対象となる地図をカバーするように単位升目を縦横に配置したメッシュを定義し前記各単位升目に一元に付された固有コードによって地図上の地点を特定するコード検索とが可能な地点特定装置において、
前記電話番号のうちの上位複数桁の番号に対し、当該電話番号の上位複数桁の番号により特定される地域に含まれる前記単位升目の前記固有コードの上位複数桁のコードを関連付けたデータベースを記憶する記憶手段と、
前記電話番号が入力されたとき、入力された電話番号について前記電話番号検索による地図上の地点の特定が不能なとき、前記データベースに基づいて、前記入力された電話番号のうちの上位複数桁の番号で特定される地域に含まれる前記単位升目の前記固有コードのうちの上位複数桁のコードを検索する対応コード検索手段と、
前記対応コード検索手段によって検索された前記固有コードの上位複数桁のコードを入力済みコードとし、前記固有コードの残りの下位複数桁のコードの入力があったとき、前記入力済みとされた前記固有コードの上位複数桁のコードと前記入力された残りの下位複数桁のコードとで構成される一連の固有コードによって特定される地図上の地点を検索する地点検索手段とを具備してなる地点特定装置。
【請求項５】
取得した地図データに基づいて地図を表示する表示手段を備え、請求項１または２記載の地点特定方法によって検索した地点を前記表示手段に表示された地図上に表示することを特徴とする地図表示方法。
【請求項６】
地図データを取得する地図データ取得手段と、
前記地図データに基づいて地図を表示する表示手段と、
請求項３または４に記載の地点特定装置と、
前記地点特定装置によって検索した地点を前記表示手段に表示された地図上に表示する表示制御手段とを具備してなる地図表示装置。
【発明の詳細な説明】
【技術分野】
【０００１】
本発明はコードによって地図上の位置を特定することができる地点特定方法および地点特定装置並びに地図表示方法および地図表示装置に関する。
【背景技術】
【０００２】
カーナビゲーション装置は、目的地点を指定すると、現在地点から目的地点に至る経路を探索し、その探索した経路に沿って車両を案内するという機能を備えている。カーナビゲーション装置では、目的地点を、施設の名称により、住所により、或いは電話番号などにより特定することができるようになっている。また、コード番号によって地点を特定できるようにしたものもある（例えば、特許文献１）。
コード番号によって地点を特定する方法は、対象となる地図をカバーするように単位升目を縦横に配置したメッシュを定義すると共に、各単位升目に一元の固有コードを定義しておき、固有コードを指定することによって地図上の地点を特定する、というものである。
【特許文献１】特開平９−３０５１０８号公報
【発明の開示】
【発明が解決しようとする課題】
【０００３】
電話番号で地点を特定する機能と、コード番号で地点を特定できる機能とを備えているカーナビゲーション装置の場合、電話番号と地図上の地点とを関連付けたデータ、コード番号と地図上の地点とを関連付けたデータの両方を備えている。しかしながら、入力した電話番号がデータ中に登録されていない場合には、目的地点を電話番号から特定することができない。このような場合には、目的地点として指定しようとした地点のコード番号が分かっていれば、そのコード番号を再入力して地点の特定を行う。しかしながら、コード番号は、通常、９桁で長く、また馴染みの薄い数字列からなっているため、その入力は面倒である。
【０００４】
本発明は上記の事情に鑑みてなされたもので、その目的は、コード入力により地点を特定する場合、そのコードの全桁を入力しなくとも済む地点特定方法およびその装置並びに地図表示方法およびその装置を提供することにある。
【課題を解決するための手段】
【０００５】
請求項１の発明は、対象となる地図をカバーするように単位升目を縦横に配置したメッシュを定義し、前記各単位升目に一元に付された固有コードによって地図上の地点を特定するコード検索が可能な地点特定方法において、前記対象となる地図中の市区町村名が入力されたとき、または前記対象となる地図を複数地域に分けて各地域に固有番号を付した地域番号制度における当該固有番号の少なくとも一部が入力されたとき、当該入力された市区町村名、または前記地域番号制度の前記固有番号の少なくとも一部によって特定される地域に含まれる前記単位升目について、その単位升目の前記固有コードのうちの上位複数桁のコードを入力済みコードとし、残りの下位複数桁のコードの入力を待って前記コード検索を開始することを特徴とする地点特定方法にある。
【０００６】
請求項３の発明は、対象となる地図をカバーするように単位升目を縦横に配置したメッシュを定義し前記各単位升目に一元に付された固有コードによって地図上の地点を特定するコード検索が可能な地点特定装置において、前記対象となる地図中の市区町村名または前記対象となる地図を複数地域に分けて各地域に固有番号を付した地域番号制度における当該固有番号の少なくとも一部に対し、前記市区町村名または前記地域番号制度における前記固有番号の少なくとも一部によって特定される地域に含まれる前記単位升目の前記固有コードのうちの上位複数桁のコードを関連付けたデータベースを記憶する記憶手段と、前記コード検索のための固有コードを入力可能であると共に、前記市区町村名または前記地域番号制度における前記固有番号を入力可能な入力手段と、前記市区町村名または前記地域番号制度における前記固有番号の少なくとも一部が入力されたとき、前記データベースに基づいて、入力された市区町村名、または前記地域番号制度の前記固有番号の少なくとも一部によって特定される地域に含まれる前記単位升目の前記固有コードの上位複数桁のコードを検策する対応コード検索手段と、前記対応コード検索手段によって検索された前記固有コードの上位複数桁のコードを入力済みコードとし、前記固有コードのうちの残りの下位複数桁のコードの入力があったとき、前記入力済みとされた前記固有コードの上位複数桁のコードと前記入力された残りの下位複数桁のコードとで構成される一連の固有コードによって特定される地図上の地点を検索する地点検索手段とを具備してなる地点特定装置にある。
【０００７】
これら請求項１および３の発明によれば、市町村名または地域番号制度の固有番号、例えば電話番号、郵便番号などを入力すると、その入力事項から検索される固有コードの上位複数桁のコードが入力済みとなるので、固有コードで地点を特定する場合に、その固有コードの全桁を入力せずとも、下位複数桁のコードを入力すれば済む。
【０００８】
請求項２の発明は、電話番号によって対象となる地図上の地点を特定する電話番号検索と、前記対象となる地図をカバーするように単位升目を縦横に配置したメッシュを定義し前記各単位升目に一元に付された固有コードによって地図上の地点を特定するコード検索とが可能な地点特定方法において、前記電話番号が入力されたとき、入力された電話番号について前記電話番号検索による地図上の地点の特定が不能なとき、前記入力された電話番号のうちの上位複数桁の番号で特定される地域に含まれる前記単位升目について、その単位升目の前記固有コードのうちの上位複数桁のコードを前記コード検索での入力済みコードとし、残りの下位複数桁のコードの入力を待って前記コード検索を開始することを特徴とする地点特定方法にある。
【０００９】
請求項４の発明は、電話番号によって地図上の地点を特定する電話番号検索と、対象となる地図をカバーするように単位升目を縦横に配置したメッシュを定義し前記各単位升目に一元に付された固有コードによって地図上の地点を特定するコード検索とが可能な地点特定装置において、前記電話番号のうちの上位複数桁の番号に対し、当該電話番号の上位複数桁の番号により特定される地域に含まれる前記単位升目の前記固有コードの上位複数桁のコードを関連付けたデータベースを記憶する記憶手段と、前記電話番号が入力されたとき、入力された電話番号について前記電話番号検索による地図上の地点の特定が不能なとき、前記データベースに基づいて、前記入力された電話番号のうちの上位複数桁の番号で特定される地域に含まれる前記単位升目の前記固有コードのうちの上位複数桁のコードを検索する対応コード検索手段と、前記対応コード検索手段によって検索された前記固有コードの上位複数桁のコードを入力済みコードとし、前記固有コードの残りの下位複数桁のコードの入力があったとき、前記入力済みとされた前記固有コードの上位複数桁のコードと前記入力された残りの下位複数桁のコードとで構成される一連の固有コードによって特定される地図上の地点を検索する地点検索手段とを具備してなる地点特定装置にある。
【００１０】
これら請求項２および４の発明によれば、入力した電話番号が登録されておらず、その電話番号からは地点を特定することができず、同一地点をコード検索によって特定するためにコードを入力する場合、コードの全部を最初から入力しなくとも、上位の複数桁については入力しなくとも済む。
【００１１】
請求項５の発明は、取得した地図データに基づいて地図を表示する表示手段を備え、請求項１または２記載の地点特定方法によって検索した地点を前記表示手段に表示された地図上に表示することを特徴とする地図表示方法にある。
【００１２】
また、請求項６の発明は、地図データを取得する地図データ取得手段と、前記地図データに基づいて地図を表示する表示手段と、請求項３または４に記載の地点特定装置と、前記地点特定装置によって検索した地点を前記表示手段に表示された地図上に表示する表示制御手段とを具備してなる地図表示装置にある。
これら請求項５および６の発明によれば、特定した地点の地図を表示手段に表示することができる。
【発明を実施するための最良の形態】
【００１３】
（第１の実施形態）
以下、本発明をカーナビゲーション装置に適用した第１の実施形態につき図面を参照しながら説明する。図１に示すように、カーナビゲーション装置（地点特定装置、地図表示装置）１は、マイクロコンピュータを主体とする制御装置２に対して、位置検出装置（位置取得手段）３、地図データ入力装置（地図データ取得手段）４、表示装置（表示手段）５、入力装置（入力手段）６、記憶手段としての記憶装置７、スピーカ８などを接続して構成されている。
【００１４】
上記位置検出装置３は、例えばＧＰＳ受信回路や走行距離センサ、方位センサなどの各種のセンサから構成されるもので、それらセンサの測定信号に基づいて現在位置を演算し、制御装置２に入力する。
地図データ入力装置４は、例えば、ＣＤ−ＲＯＭやＤＶＤ−ＲＯＭなどのデータ記録媒体と、このデータ記録媒体からデータを取り込んで制御装置２に入力するＣＤドライブ装置やＤＶＤドライブ装置などの読取装置から構成されている。入力装置６は、押釦スイッチ群９、リモコン１０と対をなすリモコンセンサ１１、液晶ディスプレイの画面上に設けられたタッチパネル１２などから構成され、各種の入力を行う。
【００１５】
制御装置２は、目的地点が指定されると、現在地点から目的地点までの経路をダイクストラ法などによって探索する（経路探索手段）。そして、制御装置２は、探索した経路に沿って車両を誘導するために、交差点の直前では、その交差点を表示装置５に拡大表示して右左折方向を示すと共に、スピーカ８による音声案内を行う（経路案内手段）。このようなカーナビゲーション装置１の制御装置２は、ＣＰＵ、ＲＯＭ、ＲＡＭなどを備えた周知のマイクロコンピュータを主体として構成されている。
【００１６】
さて、地図データ入力装置４のデータ記録媒体には、緯度経度座標に従って表された日本全国の地図データが格納されている。上記地図データは、対象となる地図、即ち日本の全国地図を、緯度×経度＝９００秒×９００秒の升目からなる１次メッシュを単位として指定できるように構築されている。更に、１次メッシュの各升目内の領域を、緯度×経度＝３０秒×３０秒の升目からなる２次メッシュを単位として指定できるようにも構築され、この２次メッシュの各升目内の領域を、緯度×経度＝１秒×１秒の升目からなる３次メッシュを単位として指定できるようにも構築されている。この関係を模式図で示すと、図６に示すような階層構造となる。
【００１７】
記憶装置７には、上記１次メッシュの各升目を特定するコード番号と、各升目の領域を示す緯経度との関係が、図５に示すようにテーブル化して記憶されている。１次メッシュは、最大１０００個の升目で構成され、各升目のコード番号は、「０００」〜「９９９」の中の３桁の数字が一対一で対応付けられている。以下、この１次メッシュの各升目を区画といい、各区画を示す３桁の数字を区画コードといい、図５のテーブルを区画コードデータテーブルと呼ぶこととする。なお、１次メッシュの区画コードは、使用頻度に合わせて付番され、東京、横浜、大坂、名古屋といった大都市は小さいコード番号となるように、例えば人口密度の高い方から小さい番号となるように優先順位をつけて付番されている。
【００１８】
また、２次メッシュの各升目についても、例えば区画内の左下から右上に向って横方向を優先に「０００」〜「８９９」のコード番号が付され、更に３次メッシュの各升目についても「０００」〜「８９９」のコード番号が付されている。そして、２次メッシュの各升目について、そのコード番号と１次メッシュの各升目内での位置との関係がテーブル化されて記憶装置７に記憶されていると共に、３次メッシュの各升目についても、そのコード番号と２次メッシュの升目内での位置との関係がテーブル化されて記憶装置７に記憶されている。
【００１９】
このような２次メッシュの各升目のコード番号と１次メッシュの各升目内での位置との関係のデータテーブル、および３次メッシュの各升目のコード番号と２次メッシュの升目内での位置との関係のデータテーブルを、前述の区画コードデータテーブルと併せてマップコード検索用データテーブル（コード検索用データテーブル）という。
なお、以下では、２次メッシュの各升目をブロック、このブロックの３桁のコードをブロックコード、３次メッシュの各升目（最小単位の升目）をユニット（単位升目）、このユニットの３桁のコードをユニットコードと呼ぶこととする。
【００２０】
３次メッシュの各升目（単位升目）、即ちユニットを地図上で特定する場合には、緯度経度座標に置き換えねばならない。そのために、ユニットの地図上での位置を特定するコードは、上位から順に、区画コード、ブロックコード、ユニットコードを繋げた９桁のコードで示される。この９桁で示されるコードは、ユニットの地図上の位置を特定するために一元に定義された固有コードであり、以下では各ユニットの固有コードをマップコードと呼ぶこととする。
【００２１】
以上のことからマップコードは、「０００，０００，０００」〜「９９９，８９９，８９９」までの８１０，０００，０００個の異なる番号となる。このマップコードと前述のマップコード検索用データテーブルとから、各ユニットについて、２次メッシュ内での位置、この２次メッシュ内での位置から１次メッシュ内での位置が分かるので、１次メッシュの緯経度座標に基づいて各ユニットの地図上での地点が緯経度座標で特定できるものである。
【００２２】
従って、本実施形態では、マップコードを入力すると、前記マップコード検索用データベースを参照してこの入力されたマップコードから地図上の地点を特定することができる（コード検索としてのマップコード検索）。なお、このマップコード入力において、上位３桁のうち、第１桁が０、第１桁および第２桁が０、第１から第３桁までが０のときには、０は必ずしも入力しなくとも良いようになっている。
【００２３】
また、記憶装置７には、各施設の名称と各施設の地図上の位置を緯経度座標で示したデータベース（名称検索用データベース）、固定電話機の電話番号とその固定電話機が設置されている地図上の位置を緯経度座標で示したデータベース（電話番号検索用データベース）が記憶されている。従って、本実施形態では、施設名称を入力すると、その施設名称から当該施設の地図上の地点を特定することができ（名称検索）、電話番号（地域番号制度の固有番号）を入力すると、その電話番号から当該電話番号の電話機の地図上の設置地点を特定することができる（電話番号検索）。
【００２４】
また、本実施形態では、電話番号の上位複数桁、例えば市外局番によって特定される領域とその領域が含まれる区画コードとの関連を示すデータベース（区画コード検索用データベース）、つまり、電話番号のうちの上位２桁、または３桁或いは４桁からなる市外局番によって特定される地域と、その地域に含まれるユニットのマップコードのうちの上位３桁（区画コード）との関係をテーブル化したデータが記憶されている。この区画コード検索用データベースによって、電話番号の市外局番から、当該市外局番の区域を含むマップコード上の区画コードを検索することができるようになっている。
【００２５】
なお、カーナビゲーション装置１を案内経路検索モードに設定すると、まず、表示制御手段として機能する制御装置２が表示装置５の画面を目的地点検索方式の選択画面に切り替える。本実施形態における目的地点検索方式は、名称検索、電話番号検索、マップコード検索があり、名称検索が選択されると、表示装置５の画面には名称入力のための五十音図が表示され、電話番号検索およびマップコード検索が選択されると、表示装置５の画面には電話番号およびマップコードの入力のためのテンキーが表示されるようになっている。
【００２６】
次に上記構成の作用を、例えば、現在地点から目的地点までの案内経路を設定する場合の目的地点検索に適用して図２に示すフローチャートをも参照しながら説明する。まず、マップコードにより目的地点を設定する場合、カーナビゲーション装置１を案内経路検索モードに設定する。すると、表示装置５の画面に目的地点検索方式の選択画面が表示される（図２のステップＳ１）ので、ここでマップコード検索を選択する（ステップＳ２）。
【００２７】
すると、制御装置２は、表示装置５の画面にテンキーを表示する（ステップＳ３）ので、ユーザは、このテンキーを使用して所望の目的地点のマップコードを入力する。マップコードが入力されると（ステップＳ４で「ＹＥＳ」）、制御装置２は、マップコード検索用データベースを参照して入力されたマップコードに基づいて当該マップコードが示す地点の緯経度座標を検索する（ステップＳ５）。そして、制御装置２は、地図データ入力装置４から目的地点周辺の地図データを取得し、表示装置５の画面に目的地点周辺の地図を表示すると共に、その地図上に検索した地点を表示する（ステップＳ６）。以上により目的地点の検索を終了する。この後、検索された地点を目的地点として設定する操作を行うと、制御装置２は、現在地点から検索された目的地点までの経路探索へと移行する。
【００２８】
次に、電話番号により目的地点を検索する場合を説明する。ここでは、ユーザは、目的地点の電話番号の他に、その施設の所在地点のマップコードの両方を知っているものとする。そして、目的地点を設定するにあたり、慣れている電話番号によって目的施設を設定するものする。
電話番号検索により目的地点を設定するには、まず、上記したと同様にしてカーナビゲーション装置１を案内経路検索モードに設定し、表示装置５に表示された目的地点検索方式の選択画面から電話番号検索を選択する（ステップＳ１、ステップＳ２）。電話番号検索を選択すると、図３（ａ）に示すように表示装置５の画面にテンキー（前記マップコード検索時も同様）が表示されるので（ステップＳ７）、表示装置５の画面に表示されたテンキーを使用して所望の目的地点の電話番号（例えば、図４に示す×××‐○○○‐○○○○）を入力する。
【００２９】
制御装置２は、電話番号が入力されると（ステップＳ８で「ＹＥＳ」）、その電話番号に基づいて電話番号検索用データベースを検索する（ステップＳ９）。検索後、制御装置２は、入力された電話番号が電話番号検索用データベースに登録されていたか否かを判断する（ステップＳ１０）。入力された電話番号が電話番号検索用データベースに登録されていれば、制御装置２は、ステップＳ１０で「ＹＥＳ」となって、電話番号検索用データベースに登録されていた電話番号が示す緯経度座標に基づいて、表示装置５の画面に目的地点周辺の地図を表示すると共に、その地図上に電話番号が示す地点を表示する（ステップＳ６）。
【００３０】
電話番号検索用データに入力された電話番号の登録がない場合（ステップＳ１−で「ＮＯ」）、制御装置２は、区画コード検索用データベースを参照して入力された電話番号の市外局番によって特定される地域のマップコード上の区画コード（上位３桁のコード）を検索する（ステップＳ１１：対応コード検索手段）。そして、制御装置２は、市外局番×××に対応する区画コードが○○○であった場合、表示装置５の画面に、テンキーと共に、例えば、図３（ｂ）に示すように「電話番号が見当たりません。市外局番の地域が入るマップコードの上位３桁は○○○です。４桁目以降のコードを入力してください。」のメッセージを表示する（ステップＳ１２）。この場合、図４に示すように、市外局番×××によって特定される地域のマップコード上の区画が複数に跨る場合、それらの区画のコード○○○、○○□、○○△、○○×が小さい順に全て表示される。
【００３１】
このメッセージに基づいて、ユーザがマップコードの４桁目以降のコード（ブロックコードおよびユニットコード）をテンキーから入力する（ステップＳ１３で「ＹＥＳ」）。すると、制御装置２は、先に検索した上３桁と、後から入力された４桁目以降の数字を併せて９桁のマップコードを取得し、そして、マップコード検索用データベースから、その９桁のマップコードによって示された地点を検出する（ステップＳ１４：地点検索手段）。この場合、上位４桁のコードは、若い順、つまり人口の多い区画のコード順に表示されているので、ユーザが所望する地点を早く見つけることができる。この後、制御装置２は、表示装置５の画面に、前述したと同様にして検索した地点の地図を表示すると共に、その地図上に目的地点を表示する（ステップＳ６）。そして、検索された地点を目的地点として設定する操作を行うと、制御装置２は、現在位置から設定された目的地点に至る経路を探索し、探索した経路を表示装置５の画面上に表示する。
【００３２】
なお、施設の名称により地点を検索するには、目的地点検索方式の選択画面において、名称検索を選択し（ステップＳ２）、表示装置５の画面に表示された五十音図により施設名称を入力する（ステップＳ１５、ステップＳ１６）。すると、制御装置２は、名称検索用データベースを参照して入力された施設名称から当該施設の地点を検索し（ステップＳ１７）、表示装置５の画面に地図と共に検索した地点を表示する（ステップＳ６）。
【００３３】
このように本実施形態によれば、入力した電話番号が電話番号検索データベースに登録されていなかったため、同じ地点をマップコード検索で再検索する場合、マップコードの上位３桁が自動的に入力された状態となるので、残りの４桁目以降を入力すれば済み、マップコードの入力が楽になる。
【００３４】
（第２の実施形態）
この実施形態では、記憶装置７に、地域番号制度、例えば郵便番号制度によって地域毎に定められた郵便番号と、この郵便番号によって特定される地域を定義する緯経度座標との関連をデータベース化した郵便番号検索データベースが記憶されている。そして、郵便番号を入力することで、目的地点（地域）を検索できるようにしている。
【００３５】
また、記憶装置７には、郵便番号によって特定される地域と、この地域を含むマップコード上の区画コードとの関連をデータベース化して記憶されている。そして、郵便番号から検索した地域では目的地点として広すぎる場合、所定の操作を行うことにより、制御装置２がその郵便番号に基づいて区画コードを検索し、表示装置５の画面に表示する。そこで、ユーザが表示された区画コードに続けて下位桁のコードを入力すると、制御装置２がマップコード検索を実施し、目的地点を検索する。
【００３６】
（第３の実施形態）
この実施形態では、記憶装置７に、市区町村名とマップコードの区画コードとの関連をデータベース化した市区町村名検索データベースが記憶されている。そして、ユーザがかな入力で市区町村名を入力すると、その地区町村を含むマップコードの区画コードが検索され、表示装置５の画面に表示される。そこで、ユーザが表示された区画コードに続けて下位桁のコードを入力すると、制御装置２がマップコード検索を実施し、目的地点を検索する。
【００３７】
（第４の実施形態）
第１の実施形態で説明したように、市外局番によりマップコードの区画コードを特定できるので、この実施形態では、マップコードの区画コード（上位３桁）を、市外局番に置き換え、この市外局番に続けてマップコードの４桁目以降を入力することによってマップコード検索によって地点を検索ができるようにしている。
【００３８】
例えば、ある地点のマップコードが１２３−４５６−７８９で、同じ地点の電話番号が０５９９−９９−９９９９であった場合、マップコードの上位３桁を市外局番に置き換えた番号０５９９−４５６−７８９を入力すると、制御装置２が１２３−４５６−７８９に置き換えてマップコード検索を行い、地点を検索する。このようにすれば、入力桁数は増加するが、市外局番とマップコードの下位６桁という憶えやすい数列となるので、結果としては入力し易くなる。
【００３９】
（その他の実施形態）
なお、本発明は上記し且つ図面に示す実施例に限定されるものではなく、次のような拡張或いは変更が可能である。
市外局番と市内局番をマップコードの上位複数桁に置き換えるようにしても良い。
第４の実施形態において、市外局番に代えて郵便番号としても良い。
【図面の簡単な説明】
【００４０】
【図１】本発明の第１の実施形態におけるカーナビゲーション装置のブロック図
【図２】目的地点検索のためのフローチャート
【図３】電話番号検索からマップコード検索への変換時の画面の遷移を示す図
【図４】市外局番で示す地域とマップコード上位桁で示す区画との関係を示す図
【図５】マップコードの区画コードテーブルの概念図
【図６】マップコードにおける地図の階層構造を示す模式図
【符号の説明】
【００４１】
図中、１はカーナビゲーション装置（地点特定装置、地図表示装置）、２は制御装置（表示制御手段、対応コード検索手段、地点検索手段）、３は位置検出装置、４は地図データ入力装置、５は表示装置、６は入力装置（入力手段）、７は記憶装置（記憶手段）である。
【図１】
2007226134.tif 000003
【図２】
2007226134.tif 000004
【図３】
2007226134.tif 000005
【図４】
2007226134.tif 000006
【図５】
2007226134.tif 000007
【図６】
2007226134.tif 000008